(57)【要約】【課題】ユーザの利便性を向上させるモバイル通信システム及びモバイル通信端末を提供する。【解決手段】モバイル通信端末１００、２００は、通信エリア内に存在する他のモバイル通信端末と直接無線通信を行う近接無線通信部を備えている。モバイル通信端末１００は、近接無線通信部によりモバイル通信端末２００と通信可能である場合に、モバイル通信端末１００の内部状態に応じた制御コマンド６０３を生成し、近接無線通信部を介してモバイル通信端末２００に送信する（ステップＳ４１１）。モバイル通信端末２００は、近接無線通信部により受信された制御コマンド６０３に従って動作する（ステップＳ５１３）。【選択図】図７
2010219824.tif 000002
【特許請求の範囲】
【請求項１】
通信エリア内に存在する他のモバイル通信端末と直接無線通信を行う近接無線通信手段と、
前記近接無線通信手段により、前記他のモバイル通信端末と通信可能である場合に、内部状態に応じて前記他のモバイル通信端末を制御するための制御コマンドを生成し、前記近接無線通信手段を介して前記他のモバイル通信端末に送信する制御コマンド生成手段と、
を備えるモバイル通信端末。
【請求項２】
アプリケーションを実行するアプリケーション実行手段をさらに備え、
前記内部状態は、前記アプリケーション実行手段の動作状態によって遷移する、
ことを特徴とする請求項１に記載のモバイル通信端末。
【請求項３】
前記制御コマンド生成手段は、
特定のアプリケーション実行手段の起動指示を含む前記制御コマンドに、前記アプリケーション実行手段によるアプリケーションの実行に関する付属情報を付加して送信する、
ことを特徴とする請求項２に記載のモバイル通信端末。
【請求項４】
前記制御コマンド生成手段は、
前記アプリケーション実行手段により用いられるデータの送信元を特定するための情報を前記付属情報として生成する、
ことを特徴とする請求項３に記載のモバイル通信端末。
【請求項５】
前記アプリケーション実行手段が、
放送電波を受信して再生する放送受信再生手段である場合には、
前記付属情報には、
前記放送受信再生手段により受信再生されている番組の放送元を特定するための情報が含まれ、
前記アプリケーション実行手段が、
サイトにアクセスしてそのサイトを表示するブラウザ実行手段である場合には、
前記付属情報には、
前記ブラウザ実行手段によって表示されるサイトを特定するための情報が含まれ、
前記アプリケーション実行手段が、
音楽を再生する音楽再生手段と、ゲームを実行するゲーム実行手段とのいずれかである場合には、
前記付属情報には、
楽曲データ又はゲームデータのダウンロード元のサイトを特定するための情報が含まれる、
ことを特徴とする請求項４に記載のモバイル通信端末。
【請求項６】
前記制御コマンド生成手段は、
前記アプリケーション実行手段により用いられるデータを前記付属情報として生成する、
ことを特徴とする請求項４に記載のモバイル通信端末。
【請求項７】
前記アプリケーション実行手段が、静止画又は動画を撮像する撮像手段と、静止画又は動画を表示する表示手段とのいずれかである場合には、
前記付属情報に、静止画又は動画の画像データが含まれ、
前記アプリケーション実行手段が、音楽を再生する音楽再生手段である場合には、
前記付属情報に、楽曲データが含まれ、
前記アプリケーション実行手段が、ゲームを実行するゲーム実行手段である場合には、
前記付属情報に、ゲームデータが含まれ、
前記アプリケーション実行手段が、内部パラメータを設定する設定手段である場合には、
前記付属情報に、前記内部パラメータが含まれ、
前記アプリケーション実行手段が、電話通信を行う電話通信手段である場合には、
通話中の相手の電話番号が含まれる、
ことを特徴とする請求項６に記載のモバイル通信端末。
【請求項８】
前記制御コマンド生成手段によって送信された前記制御コマンドに対する応答の内容に基づいて、前記アプリケーション実行手段の動作を制御する動作制御手段をさらに備える、
ことを特徴とする請求項２に記載のモバイル通信端末。
【請求項９】
前記アプリケーション実行手段が、電話通信を行う電話通信手段であり、
前記制御コマンド生成手段は、
前記内部状態が、電話通信手段を用いた通話中又は前記電話通信手段への着信中である場合、電話番号の通知要求を含む前記制御コマンドを送信し、
前記動作制御手段は、
前記制御コマンドに対する応答の内容に含まれる前記他のモバイル通信端末の電話番号に対して発呼するように、前記電話通信手段を制御する、
ことを特徴とする請求項８に記載のモバイル通信端末。
【請求項１０】
前記アプリケーション実行手段が、電子メールを送受信する電子メール実行手段であり、
前記制御コマンド生成手段は、
前記内部状態が、前記アプリケーション実行手段を用いた電子メールのオープン中である場合、メールアドレスの通知要求を含む前記制御コマンドを送信し、
前記動作制御手段は、
前記応答の内容に含まれる前記他のモバイル通信端末のメールアドレスに対してオープン中の電子メールを送信する、
ことを特徴とする請求項８に記載のモバイル通信端末。
【請求項１１】
前記制御コマンド生成手段は、
前記内部状態が、アイドリング状態である場合に、
前記近接無線通信手段を介して、すでに前記制御コマンドを送信した前記他のモバイル通信端末、前回送信された前記制御コマンドをキャンセルするための制御コマンドを生成して、送信する、
ことを特徴とする請求項１乃至１０のいずれか一項に記載のモバイル通信端末。
【請求項１２】
前記制御コマンド生成手段は、
前記制御コマンドを送信した前記他のモバイル通信端末に対して、前記近接無線通信手段を介した通信が切断されてから再び通信可能になると、前回送信された前記制御コマンドをキャンセルするための制御コマンドを生成して、送信する、
ことを特徴とする請求項１乃至１０のいずれか一項に記載のモバイル通信端末。
【請求項１３】
前記近接無線通信手段を介して、前記他のモバイル通信端末を検索し、
検索された他のモバイル通信端末が登録リストに登録されているか否かを判定する判定手段をさらに備え、
前記制御コマンド生成手段は、
前記判定手段により、前記登録リストに登録されていると判定された他のモバイル通信端末にのみ、前記制御コマンドを送信する、
ことを特徴とする請求項１乃至１２のいずれか一項に記載のモバイル通信端末。
【請求項１４】
通信エリア内に存在する請求項１乃至１３のいずれか一項に記載の他のモバイル通信端末と直接無線通信を行う近接無線通信手段と、
前記近接無線通信手段により、前記他のモバイル通信端末と通信可能である場合に、前記近接無線通信手段を介して受信された制御コマンドに従った動作制御を行う動作制御手段と、
を備えるモバイル通信端末。
【請求項１５】
アプリケーションを実行するアプリケーション実行手段をさらに備え、
前記動作制御手段は、
前記制御コマンドに、特定のアプリケーション実行手段の起動指示が含まれ、前記アプリケーション実行手段に実行に関する付属情報が付加されている場合、
前記起動指示に従って、そのアプリケーション実行手段を起動するとともに、前記付属情報に基づいて、前記アプリケーション実行手段を動作させる、
ことを特徴とする請求項１４に記載のモバイル通信端末。
【請求項１６】
前記動作制御手段は、
前記付属情報に、データの送信元を特定するための情報が含まれる場合、
前記送信元にアクセスするように、前記アプリケーション実行手段を制御する、
ことを特徴とする請求項１５に記載のモバイル通信端末。
【請求項１７】
前記動作制御手段は、
前記制御コマンドに、前記アプリケーション実行手段としての放送受信再生手段の起動指示が含まれ、前記付属情報に、番組の放送元を特定するための情報が含まれている場合には、
前記放送受信再生手段を起動し、前記放送受信再生手段に、前記付属情報により特定される放送元の番組を受信再生させ、
前記制御コマンドに、前記アプリケーション実行手段としてのブラウザ実行手段の起動指示が含まれ、前記付属情報に、サイトを特定するための情報が含まれている場合には、
前記ブラウザ実行手段を起動し、前記ブラウザ実行手段に、前記付属情報により特定されるサイトにアクセスして、そのサイトを表示させる、
ことを特徴とする請求項１６に記載のモバイル通信端末。
【請求項１８】
前記付属情報に、前記アプリケーション実行手段で用いられるデータが含まれる場合には、
前記動作制御手段は、
前記データに基づいて、前記アプリケーション実行手段を制御する、
ことを特徴とする請求項１５に記載のモバイル通信端末。
【請求項１９】
前記動作制御手段は、
前記制御コマンドに、表示手段の起動指示が含まれ、前記付属情報に、静止画又は動画の画像データが含まれる場合、前記表示手段に、前記付属情報に含まれる画像データを表示させ、
前記制御コマンドに、音楽再生手段の起動指示が含まれ、前記付属情報に、楽曲データが含まれている場合、前記音楽再生手段に、前記付属情報に含まれる楽曲データに基づく音楽を再生させ、
前記制御コマンドに、ゲーム実行手段が含まれ、前記付属情報に、ゲームデータが含まれる場合、前記付属情報に含まれるゲームデータに基づいて、前記ゲーム実行手段にゲームを実行させ、
前記制御コマンドに、内部パラメータを設定する設定手段の起動指示が含まれ、前記付属情報に前記内部パラメータが含まれる場合、前記付属情報に含まれる内部パラメータを、前記設定手段に設定させ、
前記制御コマンドに、電話通信を行う電話通信手段の起動指示が含まれ、前記付属情報に、通話中の相手の電話番号が含まれる場合、前記電話通信手段に、前記付属情報に含まれる電話番号に発呼させる、
ことを特徴とする請求項１８に記載のモバイル通信端末。
【請求項２０】
前記動作制御手段は、
前記制御コマンドに、自端末を特定するための情報の送信要求が含まれている場合には、
前記自端末を特定するための情報を返信する、
ことを特徴とする請求項１５に記載のモバイル通信端末。
【請求項２１】
前記アプリケーション実行手段は、電話通信手段又は電子メール実行手段であり、
前記自端末を特定するための情報は、
電話番号又はメールアドレスである、
ことを特徴とする請求項２０に記載のモバイル通信端末。
【請求項２２】
前記動作制御手段は、
前記制御コマンドに、前回送信された前記制御コマンドのキャンセル指示が含まれている場合には、
その制御コマンドに従って実行中の動作をキャンセルする、
ことを特徴とする請求項１４乃至２１のいずれか一項に記載のモバイル通信端末。
【請求項２３】
前記近接無線通信手段を介して、前記他のモバイル通信端末を検索し、
検索された他のモバイル通信端末が登録リストに登録されているか否かを判定する判定手段をさらに備え、
前記動作制御手段は、
前記判定手段により、前記登録リストに登録されていると判定された他のモバイル通信端末から送信された制御コマンドのみに従って、動作制御を行う、
ことを特徴とする請求項１４乃至２２のいずれか一項に記載のモバイル通信端末。
【請求項２４】
請求項１乃至１３のいずれか一項に記載の第１のモバイル通信端末と、
請求項１４乃至２３のいずれか一項に記載の第２のモバイル通信端末と、
を備えるモバイル通信システム。
【発明の詳細な説明】
【技術分野】
【０００１】
本発明は、モバイル通信端末及びモバイル通信システムに係り、さらに詳細には、近距離の端末間で直接通信を行う近接無線通信機能を有するモバイル通信端末及び該モバイル通信端末を備えるモバイル通信システムに関する。
【背景技術】
【０００２】
近年、非接触型ＩＣカード機能が搭載された携帯電話が実用化されている。さらに、このような携帯電話と改札機や自動販売機等との間で非接触通信を行うことにより、購入商品の決済を行うことができるシステムが実用化されている（例えば、特許文献１参照）。
【０００３】
また、近距離通信や非接触通信機能を用いて、携帯電話同士でアドレス帳情報等を交換する方法も提案されている（例えば、特許文献２参照）。
【０００４】
さらには、通信距離が３ｃｍ程度の近距離で高速通信を行う近接無線転送技術も開発されている（例えば、非特許文献１参照）。この近接無線転送技術を利用すると、大容量コンテンツの短時間でのデータ交換が可能になる。
【先行技術文献】
【特許文献】
【０００５】
【特許文献１】特開２００４−１５１７５０号公報
【特許文献２】特開２００８−１５４００４号公報
【非特許文献】
【０００６】
【非特許文献１】「ソニーの「ＴｒａｎｓｆｅｒＪｅｔ」１５社がコンソーシアム設立」（日経エレクトロニクス２００８年８月１１日号，日経ＢＰ社、Ｐ．１２−１３）
【発明の概要】
【発明が解決しようとする課題】
【０００７】
上記特許文献１、２等に開示された非接触通信機能又は近接無線通信機能を利用する際には、ユーザが、モバイル通信端末のキー操作を行って、送信したいデータや、利用するアプリケーションを選択する必要がある。このようなキー操作は、ユーザにとって非常に煩わしいものとなる。
【０００８】
一方、例えば、他の人がモバイル通信端末を用いて受信、再生している地上デジタル放送番組を自分の端末でも見たい場合には、ユーザは、見ている番組のチャンネルをその人から教えてもらい、自らのキー操作により、チャンネルを合わせる必要がある。このような一連の作業は、ユーザにとって非常に煩わしいものとなる。
【０００９】
同様に、他の人が閲覧しているサイトを自分の端末でも閲覧したい場合には、ユーザは、閲覧しているサイトのＵＲＬを教えてもらい、自らのキー操作により、そのサイトにアクセスする必要がある。このような一連の作業も、ユーザにとって非常に煩わしいものとなる。
【００１０】
本発明は、上記問題点に鑑みてなされたものであり、ユーザの利便性を向上させることができるモバイル通信端末及びモバイル通信システムを提供することを目的とする。
【課題を解決するための手段】
【００１１】
上記目的を達成するため、本発明の第１の観点に係るモバイル通信端末は、
通信エリア内に存在する他のモバイル通信端末と直接無線通信を行う近接無線通信手段と、
前記近接無線通信手段により、前記他のモバイル通信端末と通信可能である場合に、内部状態に応じて前記他のモバイル通信端末を制御するための制御コマンドを生成し、前記近接無線通信手段を介して前記他のモバイル通信端末に送信する制御コマンド生成手段と、
を備える。
【００１２】
この場合、アプリケーションを実行するアプリケーション実行手段をさらに備え、
前記内部状態は、前記アプリケーション実行手段の動作状態によって遷移する、
ようにしても良い。
【００１３】
前記制御コマンド生成手段は、
特定のアプリケーション実行手段の起動指示を含む前記制御コマンドに、前記アプリケーション実行手段によるアプリケーションの実行に関する付属情報を付加して送信する、
ようにしても良い。
【００１４】
前記制御コマンド生成手段は、
前記アプリケーション実行手段により用いられるデータの送信元を特定するための情報を前記付属情報として生成する、
ようにしても良い。
【００１５】
前記アプリケーション実行手段が、
放送電波を受信して再生する放送受信再生手段である場合には、
前記付属情報には、
前記放送受信再生手段により受信再生されている番組の放送元を特定するための情報が含まれ、
前記アプリケーション実行手段が、
サイトにアクセスしてそのサイトを表示するブラウザ実行手段である場合には、
前記付属情報には、
前記ブラウザ実行手段によって表示されるサイトを特定するための情報が含まれ、
前記アプリケーション実行手段が、
音楽を再生する音楽再生手段と、ゲームを実行するゲーム実行手段とのいずれかである場合には、
前記付属情報には、
楽曲データ又はゲームデータのダウンロード元のサイトを特定するための情報が含まれる、
ようにしても良い。
【００１６】
前記制御コマンド生成手段は、
前記アプリケーション実行手段により用いられるデータを前記付属情報として生成する、
ようにしても良い。
【００１７】
前記アプリケーション実行手段が、静止画又は動画を撮像する撮像手段と、静止画又は動画を表示する表示手段とのいずれかである場合には、
前記付属情報に、静止画又は動画の画像データが含まれ、
前記アプリケーション実行手段が、音楽を再生する音楽再生手段である場合には、
前記付属情報に、楽曲データが含まれ、
前記アプリケーション実行手段が、ゲームを実行するゲーム実行手段である場合には、
前記付属情報に、ゲームデータが含まれ、
前記アプリケーション実行手段が、内部パラメータを設定する設定手段である場合には、
前記付属情報に、前記内部パラメータが含まれ、
前記アプリケーション実行手段が、電話通信を行う電話通信手段である場合には、
通話中の相手の電話番号が含まれる、
ようにしても良い。
【００１８】
前記制御コマンド生成手段によって送信された前記制御コマンドに対する応答の内容に基づいて、前記アプリケーション実行手段の動作を制御する動作制御手段をさらに備える、
ようにしても良い。
【００１９】
前記アプリケーション実行手段が、電話通信を行う電話通信手段であり、
前記制御コマンド生成手段は、
前記内部状態が、前記電話通信手段を用いた通話中又は前記電話通信手段への着信中である場合、電話番号の通知要求を含む前記制御コマンドを送信し、
前記動作制御手段は、
前記制御コマンドに対する応答の内容に含まれる前記他のモバイル通信端末の電話番号に対して発呼するように、前記電話通信手段を制御する、
ようにしても良い。
【００２０】
前記アプリケーション実行手段が、電子メールを送受信する電子メール実行手段であり、
前記制御コマンド生成手段は、
前記内部状態が、前記アプリケーション実行手段を用いた電子メールのオープン中である場合、メールアドレスの通知要求を含む前記制御コマンドを送信し、
前記動作制御手段は、
前記応答の内容に含まれる前記他のモバイル通信端末のメールアドレスに対してオープン中の電子メールを送信する、
ようにしても良い。
【００２１】
前記制御コマンド生成手段は、
前記内部状態が、アイドリング状態である場合に、
前記近接無線通信手段を介して、すでに前記制御コマンドを送信した前記他のモバイル通信端末、前回送信された前記制御コマンドをキャンセルするための制御コマンドを生成して、送信する、
ようにしても良い。
【００２２】
前記制御コマンド生成手段は、
前記制御コマンドを送信した前記他のモバイル通信端末に対して、前記近接無線通信手段を介した通信が切断されてから再び通信可能になると、前回送信された前記制御コマンドをキャンセルするための制御コマンドを生成して、送信する、
ようにしても良い。
【００２３】
前記近接無線通信手段を介して、前記他のモバイル通信端末を検索し、
検索された他のモバイル通信端末が登録リストに登録されているか否かを判定する判定手段をさらに備え、
前記制御コマンド生成手段は、
前記判定手段により、前記登録リストに登録されていると判定された他のモバイル通信端末にのみ、前記制御コマンドを送信する、
ようにしても良い。
【００２４】
また、本発明の第２の観点に係るモバイル通信端末は、
通信エリア内に存在する本発明の第１の観点に係る他のモバイル通信端末と直接無線通信を行う近接無線通信手段と、
前記近接無線通信手段により、前記他のモバイル通信端末と通信可能である場合に、前記近接無線通信手段を介して受信された制御コマンドに従った動作制御を行う動作制御手段と、
を備える。
【００２５】
この場合、アプリケーションを実行するアプリケーション実行手段をさらに備え、
前記動作制御手段は、
前記制御コマンドに、特定のアプリケーション実行手段の起動指示が含まれ、前記アプリケーション実行手段に実行に関する付属情報が付加されている場合、
前記起動指示に従って、そのアプリケーション実行手段を起動するとともに、前記付属情報に基づいて、前記アプリケーション実行手段を動作させる、
ようにしても良い。
【００２６】
前記動作制御手段は、
前記付属情報に、データの送信元を特定するための情報が含まれる場合、
前記送信元にアクセスするように、前記アプリケーション実行手段を制御する、
ようにしても良い。
【００２７】
前記動作制御手段は、
前記制御コマンドに、前記アプリケーション実行手段としての放送受信再生手段の起動指示が含まれ、前記付属情報に、番組の放送元を特定するための情報が含まれている場合には、
前記放送受信再生手段を起動し、前記放送受信再生手段に、前記付属情報により特定される放送元の番組を受信再生させ、
前記制御コマンドに、前記アプリケーション実行手段としてのブラウザ実行手段の起動指示が含まれ、前記付属情報に、サイトを特定するための情報が含まれている場合には、
前記ブラウザ実行手段を起動し、前記ブラウザ実行手段に、前記付属情報により特定されるサイトにアクセスして、そのサイトを表示させる、
ようにしても良い。
【００２８】
前記付属情報に、前記アプリケーション実行手段で用いられるデータが含まれる場合には、
前記動作制御手段は、
前記データに基づいて、前記アプリケーション実行手段を制御する、
ようにしても良い。
【００２９】
前記動作制御手段は、
前記制御コマンドに、表示手段の起動指示が含まれ、前記付属情報に、静止画又は動画の画像データが含まれる場合、前記表示手段に、前記付属情報に含まれる画像データを表示させ、
前記制御コマンドに、音楽再生手段の起動指示が含まれ、前記付属情報に、楽曲データが含まれている場合、前記音楽再生手段に、前記付属情報に含まれる楽曲データに基づく音楽を再生させ、
前記制御コマンドに、ゲーム実行手段が含まれ、前記付属情報に、ゲームデータが含まれる場合、前記付属情報に含まれるゲームデータに基づいて、前記ゲーム実行手段にゲームを実行させ、
前記制御コマンドに、内部パラメータを設定する設定手段の起動指示が含まれ、前記付属情報に前記内部パラメータが含まれる場合、前記付属情報に含まれる内部パラメータを、前記設定手段に設定させ、
前記制御コマンドに、電話通信を行う電話通信手段の起動指示が含まれ、前記付属情報に、通話中の相手の電話番号が含まれる場合、前記電話通信手段に、前記付属情報に含まれる電話番号に発呼させる、
ようにしても良い。
【００３０】
前記動作制御手段は、
前記制御コマンドに、自端末を特定するための情報の送信要求が含まれている場合には、
前記自端末を特定するための情報を返信する、
ようにしても良い。
【００３１】
前記アプリケーション実行手段は、電話通信手段又は電子メール実行手段であり、
前記自端末を特定するための情報は、
電話番号又はメールアドレスであることとしても良い。
【００３２】
前記動作制御手段は、
前記制御コマンドに、前回送信された前記制御コマンドのキャンセル指示が含まれている場合には、
その制御コマンドに従って実行中の動作をキャンセルする、
ようにしても良い。
【００３３】
前記近接無線通信手段を介して、前記他のモバイル通信端末を検索し、
検索された他のモバイル通信端末が登録リストに登録されているか否かを判定する判定手段をさらに備え、
前記動作制御手段は、
前記判定手段により、前記登録リストに登録されていると判定された他のモバイル通信端末から送信された制御コマンドのみに従って、動作制御を行う、
ようにしても良い。
【００３４】
また、本発明の第３の観点に係るモバイル通信システムは、
本発明の第１の観点に係る第１のモバイル携帯端末と、
本発明の第２の観点に係る第２のモバイル携帯端末と、
を備える。
【発明の効果】
【００３５】
本発明によれば、端末同士を通信可能な距離に近づけるだけといった簡単な手順で、一方の端末から他の端末の動作を制御することができる。これにより、ユーザの利便性が著しく向上する。
【図面の簡単な説明】
【００３６】
【図１】本発明の一実施形態に係るモバイル通信システムの構成を示すブロック図である。
【図２】本発明の一実施形態に係るモバイル通信端末の機能的な構成を示すブロック図である。
【図３】図２のモバイル通信端末に設けられたコマンドテーブルのデータ構造の一例である。
【図４】本発明の一実施形態に係るモバイル通信端末（送信側）の処理フローである。
【図５】本発明の一実施形態に係るモバイル通信端末（受信側）の処理フローである。
【図６】本発明の一実施形態に係るモバイル通信端末（送信側）及びモバイル通信端末（受信側）の処理フローである。
【図７】本発明の一実施形態に係るモバイル通信端末（送信側）及びモバイル通信端末（受信側）の処理フロー（その２）である。
【図８】地上波デジタル放送視聴中の場合の動作を説明するための図である。
【図９】Ｗｅｂ閲覧中の場合の動作を説明するための図である。
【図１０】写真撮影後、写真表示中の場合の動作を説明するための図である。
【図１１】動画撮影後、動画再生中の場合の動作を説明するための図である。
【図１２】音楽再生中、ゲーム中の場合の動作（その１）を説明するための図である。
【図１３】音楽再生中、ゲーム中の場合の動作（その２）を説明するための図である。
【図１４】基本設定中の場合の動作を説明するための図である。
【図１５】通話中の場合の動作（その１）を説明するための図である。
【図１６】着信中の場合の動作を説明するための図である。
【図１７】メール読み中の場合の動作を説明するための図である。
【図１８】通話中の場合の動作（その２）を説明するための図である。
【発明を実施するための形態】
【００３７】
以下、本発明の一実施形態について、図１乃至図１８を参照して詳細に説明する。
【００３８】
（システム全体構成）
図１に示すように、モバイル通信システム１０は、モバイル通信端末１００と、モバイル通信端末２００とを備えている。モバイル通信端末１００、２００がそれぞれ第１、第２のモバイル通信端末に対応する。
【００３９】
モバイル通信端末１００、２００は、それぞれ近接無線通信を行うための近接無線通信機能を有している。モバイル通信端末１００、２００は、互いの位置が通信エリア内にあるときには、この近接無線通信機能を用いて、互いにデータ送受信が可能となっている。近接無線通信機能の通信方式としては、例えば、ＩＥＥＥ８０２．１１、Ｂｌｕｅｔｏｏｔｈ（登録商標）、ＩＣタグ機能、赤外線通信、ＴｒａｎｓｆｅｒＪＥＴ（登録商標）を採用することができる。なお、通信方式として、ＴｒａｎｓｆｅｒＪＥＴを採用した場合には、上記所定距離は、約３ｃｍとなる。
【００４０】
近接無線通信機能の通信エリアの大きさに特に制限はないが、ごく狭い範囲であるのが望ましい。モバイル通信端末１００の所有者と、モバイル通信端末２００の所有者とが、明確な意思をもって、両端末１００、２００を接近させたときに、両端末１００、２００が通信を行えるようになっているのが望ましい。
【００４１】
この近接無線通信機能を用いて、例えば、モバイル通信端末１００とモバイル通信端末２００との間で、モバイル通信端末２００の動作を制御するための制御コマンドやその応答等が送受信される。図１では、制御コマンドを送信するモバイル通信端末１００が、送信側として示されており、制御コマンドを受信するモバイル通信端末２００が、受信側として示されている。
【００４２】
（モバイル通信端末１００の基本構成）
図２に示すように、モバイル通信端末１００は、携帯電話通信部１０１、操作部１０２、表示部１０３、音声出力部１０４、音声入力部１０５、記憶部１０６、地上波デジタル放送（以下、「地デジ」と略述する）処理部１０７、カメラ処理部１０８、音声デコード部１０９、映像デコード部１１０、近接無線通信部１１１、制御部１１２、バス１１３を備える。
【００４３】
携帯電話通信部１０１は、制御部１１２の制御の下、不図示の無線通信基地局を介して、通話音声や各種のデータ等を送受信する。携帯電話通信部１０１は、例えば、Ｗ−ＣＤＭＡ（Wideband Code Division Multiple Access）、ＥＶ−ＤＯ（Evolution Data Only）、ＷｉＭＡＸ（Worldwide Interoperability for Microwave Access）、ＬＴＥ（Long Term Evolution）などの広域無線通信方式に基づいて他の携帯電話と通信する。携帯電話通信部１０１は、制御部１１２の制御の下、相手の通話の保留や、保留中における新たな相手への発呼も可能である。また、携帯電話通信部１０１は、三者間での通話（いわゆる三者通話）も可能である。
【００４４】
操作部１０２は、キーボード、カーソルキー、テンキー等の各種操作キーを備えている。操作部１０２は、ユーザの操作入力を受け付け、その操作入力に対応する操作信号を制御部１１２に出力する。
【００４５】
表示部１０３は、ドットマトリクスタイプの液晶表示（ＬＣＤ）パネル等の表示パネルや、その表示パネルを駆動するドライバ回路等を備えている。表示部１０３は、制御部１１２の制御の下、任意の画像（例えば、文字、静止画、動画等）を表示する。
【００４６】
音声出力部１０４は、スピーカ、ＤＡＣ（Digital Analog Converter）等を備えている。また、音声出力部１０４は、携帯電話通信部１０１から入力される音声信号に、ＤＡ変換を施し、ＤＡ変換された音声信号に対応する音声をスピーカから放音する。また、音声出力部１０４は、例えば、音声デコード部１０９によってデコードされたコンテンツの音声信号にＤＡ変換を施し、ＤＡ変換された音声信号に対応する音声をスピーカから放音する。
【００４７】
音声入力部１０５は、マイク等を備えている。音声入力部１０５は、例えば、携帯電話通信部１０１による通話中において、ユーザの音声を、マイクで収集して音声信号に変換し、その音声信号を携帯電話通信部１０１に供給する。
【００４８】
記憶部１０６は、各種データを記憶する。記憶部１０６は、モバイル通信端末１００に内蔵されるメモリであっても良いし、取り外し可能な外部メモリであっても良い。記憶部１０６に記憶される各種データには、例えば、制御部１１２の動作制御用プログラムがある。この他、記憶部１０６は、コマンドテーブル３００を記憶する。コマンドテーブル３００の詳細については後述する。さらに、記憶部１０６は、登録機器リスト７００を記憶する。登録機器リスト７００の詳細についても後述する。
【００４９】
地デジ処理部１０７は、制御部１１２の制御の下、不図示のアンテナを介してワンセグ等の放送電波の受信、復調、デスクランブル、デマックスを行う。地デジ処理部１０７は、それらの処理後に得られるエンコードされたコンテンツデータを、音声デコード部１０９や映像デコード部１１０に受け渡す。
【００５０】
カメラ処理部１０８は、撮像デバイスと画像処理デバイス等を備えている。カメラ処理部１０８は、制御部１１２の制御の下、撮像を行い、静止画や動画の画像データを取得する。
【００５１】
音声デコード部１０９は、エンコードされた音声データをデコードする。
映像デコード部１１０は、エンコードされた映像データをデコードする。
【００５２】
近接無線通信部１１１は、上述のように、ＩＥＥＥ８０２．１１、Ｂｌｕｅｔｏｏｔｈ（登録商標）、赤外線通信、ＩＣタグ機能、ＴｒａｎｓｆｅｒＪＥＴ（登録商標）等の通信方式に基づいて、通信エリア内に存在する他のモバイル通信端末２００と通信する。近接無線通信部１１１は、制御部１１２の制御の下、基地局やアクセスポイントを介さずに、端末同士で直接通信を行う。
【００５３】
制御部１１２は、ＣＰＵ、メモリ、タイマ等から成るマイクロプロセッサユニット等を備えている。記憶部１０６に記憶された動作制御用プログラムは、このメモリに読み込まれ、ＣＰＵがその動作制御用プログラムを実行することにより、制御部１１２が、モバイル通信端末１００全体の動作を制御する。
【００５４】
制御部１１２によって制御される動作としては、基本的なものとして、例えば、携帯電話通信部１０１、音声出力部１０４、音声入力部１０５を用いた発呼、着呼、音声通話動作（電話通信動作）がある。この他、地デジ処理部１０７、音声デコード部１０９、映像デコード部１１０を用いた地上波デジタル放送の受信再生動作や、携帯電話通信部１０１及び表示部１０３等を用いたブラウザ実行動作などもある。さらには、カメラ処理部１０８を用いた撮像動作、表示部１０３を用いた画像表示動作、音声デコード部１０９、音声出力部１０４を用いた音楽再生動作、音声デコード部１０９、映像デコード部１１０、表示部１０３、音声出力部１０４を用いたゲーム実行動作もある。
【００５５】
制御部１１２によって実行される動作制御用プログラムは、これらの動作をそれぞれ独立して実行する複数のアプリケーションソフトウエア（以下、「アプリケーション」と略述する）の集まりとして生成されている。例えば、電話をしようとして、ユーザが、操作部１０２を操作すると、その旨の信号が制御部１１２に出力される。制御部１１２は、音声通話動作のアプリケーションを起動し、実行する。このようにして、携帯電話通信部１０１を用いた発呼、着呼、音声通話動作が実現される。すなわち、制御部１１２は、操作部１０２から入力される操作信号に従って、動作させるべきアプリケーションを起動して、そのアプリケーションを実行することにより、モバイル通信端末１００全体の動作を制御する。これにより、モバイル通信端末１００の各種機能が実現される。
【００５６】
なお、制御部１１２は、モバイル通信端末１００の内部状態を管理している。モバイル通信端末１００の内部状態は、モバイル通信端末１００の状態を示す内部パラメータである。例えば、音声通話動作のアプリケーションが起動され、音声通話中である場合には、モバイル通信端末１００の内部状態は「通話中」となる。
【００５７】
モバイル通信端末１００の内部状態は、どのアプリケーションが起動し、そのアプリケーションがどのような実行状態であるか等、アプリケーションの動作状態に応じて遷移する。例えば、地上波デジタル放送の視聴を終了し、地上波デジタル放送のアプリケーションを終了した後、ブラウザ機能のアプリケーションを起動し、そのアプリケーションを用いて所定のサイトにアクセスした場合には、モバイル通信端末１００の内部状態は、「地デジ視聴中」から「Ｗｅｂ閲覧中」に遷移する。
【００５８】
このように、ここでいうアプリケーションは、近接無線通信部１１１を用いない動作制御用プログラムも含む。例えば、受信再生動作、静止画や動画の撮像動作、音声通話動作の動作制御プログラム等である。
【００５９】
バス１１３は、上述した各部間で相互にデータを伝送する。このバス１１３を介して、各部の協調動作、制御部１１２による各部の制御等が実現される。
【００６０】
（コマンドテーブル）
図３に示すように、コマンドテーブル３００の項目には、内部状態３０１、コマンド種別３０２、自端末動作３０３、パラメータ３０４がある。コマンドテーブル３００では、内部状態３０１、制御コマンド３０２、自端末動作３０３、パラメータ３０４の組が、ｉｎｄｅｘ毎にまとめられて（それぞれ対応付けられて）登録されている。
【００６１】
内部状態３０１には、モバイル通信端末１００の内部状態が登録されている。例えば、ｉｎｄｅｘ１の内部状態３０１には、「地デジ視聴中」が登録されている。以下、ｉｎｄｅｘ２〜ｉｎｄｅｘ１４の内部状態３０１には、「Ｗｅｂ閲覧中」、「写真撮影後」、「動画撮影後」、「写真表示中」、「動画再生中」、「音楽再生中（ＤＬ）」、「音楽再生中（フリー）」、「ゲーム中（ＤＬ）」、「ゲーム中（フリー）」、「基本設定中」、「通話中」、「着信中」、「メール読み中」がそれぞれ登録されている。なお、「写真撮影後」、「動画撮影後」とは、「写真撮影後所定時間以内」、「動画撮影後所定時間以内」という意味である。このように、過去に実行されたアプリケーションやその実行状態の種別と、他の情報との組み合わせを、モバイル通信端末１００の内部状態として設定することも可能である。
【００６２】
コマンド種別３０２には、モバイル通信端末１００の内部状態に応じて、近接無線通信部１１１を介して送信すべき制御コマンドの種別が登録されている。例えば、内部状態３０１が、「地デジ視聴中」であるｉｎｄｅｘ１のコマンド種別３０２には、「ＴＶアプリ起動」が登録されている。また、内部状態３０１が「Ｗｅｂ閲覧中」であるｉｎｄｅｘ２のコマンド種別３０２には、「ブラウザ起動」が登録されている。
【００６３】
制御コマンドは、モバイル通信端末２００に対する指令であり、主として、アプリケーションを起動させるための指令である。起動されるモバイル通信端末２００のアプリケーションとしては、前述のように、放送の受信再生動作の動作制御プログラム（ＴＶアプリ）、サイトの閲覧プログラム（ブラウザ）、写真や動画の表示動作の動作制御プログラム（写真ビューワ、動画プレイヤ）、音楽再生動作の動作制御プログラム（音楽プレイヤ）、ゲームの動作制御プログラム、音声通話動作の動作制御プログラム等がある。この他、「着信音量を変更する」、「表示画面の壁紙を変更する」というようなモバイル通信端末１００の基本機能を設定するような動作制御プログラム（基本設定処理）を、制御コマンドにより起動し、実行するようにしても良い。それぞれのプログラムは、独立したタスクとして同時に実行可能となっている。
【００６４】
自端末動作３０３には、モバイル通信端末１００が、制御コマンドの送信以外に行うべき動作が登録されている。例えば、内部状態３０１が「着信中」であるｉｎｄｅｘ１３の自端末動作３０３には、「着信転送」が登録されている。また、内部状態３０１が「メール読み中」であるｉｎｄｅｘ１４の自端末動作３０３には、「メール転送」が登録されている。
【００６５】
パラメータ３０４には、モバイル通信端末１００が制御コマンドを送信する際に、その制御コマンドに付加して送信すべき付属情報や、モバイル通信端末２００からの応答に含まれる情報が登録される。例えば、内部状態３０１が、「Ｗｅｂ閲覧中」であるｉｎｄｅｘ２のパラメータ３０４には、「ＵＲＬ」が登録されている。内部状態３０１が「写真撮影後」であるｉｎｄｅｘ３のパラメータ３０４には、「写真サイズ、写真データ、写真属性情報」等が登録されている。
【００６６】
（登録機器リスト）
登録機器リスト７００は、モバイル通信端末１００が、近接無線通信部１１１を介して通信可能な（通信することを許可された）機器のリストである。登録機器リスト７００では、ＩＰアドレス、ＭＡＣアドレス、製造番号等の、端末を識別するための情報がリスト構造にして登録されている。このように、近接無線通信部１１１を介して通信可能な端末を予め登録しておけば、意図しない端末と、近接無線通信により誤ってデータ交換が行われるのを防ぐことができる。
【００６７】
登録機器リスト７００では、ユーザ操作により、新規登録、登録内容の変更（機器の追加や削除）ができるようになっているのが望ましい。ユーザ操作は、操作部１０２、音声入力部１０５を介して行うようにすることができるようにすれば良い。この他、近接無線通信部１１１を用いて、機器識別情報を送受信し、その受信内容を登録機器リスト７００に登録可能としても良い。さらに、携帯電話通信部１０１を介して相手の機器識別情報を電子メールで送信してもらい、その機器識別情報を登録機器リスト７００に登録するようにしても良い。いずれの場合も、簡単な操作で登録できるため、使い勝手がさらに向上する。
【００６８】
（受信側端末の基本構成）
なお、本発明の一実施形態に係るモバイル通信端末２００の機能構成は、図２に示すモバイル通信端末１００の機能構成とほぼ同じである。ただし、モバイル通信端末２００は、記憶部１０６にコマンドテーブル３００を持っておく必要はない。
【００６９】
次に、モバイル通信システム１０の動作について図４乃至図７の処理フローを参照して詳細に説明する。なお、図４乃至図７において、同一の動作については同じ符号が付されている。
【００７０】
（モバイル通信端末１００の処理）
まず、モバイル通信端末１００の動作について図４、図６、図７を参照して説明する。図４に示すモバイル通信端末１００の制御部１１２によって実行されるアプリケーション（動作制御用プログラム）の１つである送信側処理において、モバイル通信端末１００の電源が投入されると（ステップＳ４０１でＹｅｓ）、モバイル通信端末１００の制御部１１２は、端末内各部の初期化を行う。このとき、図４の送信側処理では、モバイル通信端末１００の制御部１１２は、近接無線通信部１１１の初期化処理を行う（ステップＳ４０２）。
【００７１】
この初期化処理では、近接無線通信部１１１の送信回路、受信回路等への必要な電圧の供給や、レジスタへの適切な値の設定、制御ソフトウェアの内部変数への適切な値の設定が行われる。その後、近接無線通信部１１１は、プローブ送信可能、かつ、プローブの受信待ち状態となり、近接無線通信部１１１による相手機器（モバイル通信端末２００）の検出処理が開始される。
【００７２】
その後、モバイル通信端末１００は、例えば、ユーザ操作によりアプリケーションを起動し、そのアプリケーションを実行することにより、様々な機能を実現する。ここでいう様々な機能は、発呼、メール作成、Ｗｅｂ閲覧等の一般的なモバイル通信端末１００で実行可能な機能であればよく、特に限定されるものではない。モバイル通信端末１００がどのような状態であるかに関わらず、モバイル通信端末１００の制御部１１２は、相手機器の検出処理を継続的に行う。
【００７３】
相手機器の検出処理は、例えば、次のような手順で行われる。
モバイル通信端末１００の制御部１１２は、検索要求６０１（図６参照）を、近接無線通信部１１０に送信させる（ステップＳ４０３）。これを受けて、検索要求６０１が、モバイル通信端末１００の近接無線通信部１１１から、モバイル通信端末２００の近接無線通信部１１１に向けて送信される。
【００７４】
その後、モバイル通信端末１００の制御部１１２は、検索要求６０１に対する検索応答６０２（図６参照）を受信して、モバイル通信端末２００（相手機器）を発見したか否かを判定する（ステップＳ４０４）。モバイル通信端末２００が近接無線通信部１１１の通信エリアに存在しない場合には、検索応答６０２は返って来ないので、この判定は否定される（ステップＳ４０４；Ｎｏ）。この場合、モバイル通信端末１００の制御部１１２は、所定時間（例えば１秒）経過し、タイムアウトとなったか否かを判定する（ステップＳ４０５）。
【００７５】
この判定が否定されるか（ステップＳ４０５；Ｎｏ）、相手機器が発見されない間（ステップＳ４０４；Ｎｏ）、ステップＳ４０４→ステップＳ４０５が繰り返される。この状態で、所定期間経過すると（ステップＳ４０５；Ｙｅｓ）、モバイル通信端末１００の制御部１１２は、再び、検索要求６０１（図６参照）を、近接無線通信部１１０に送信させる（ステップＳ４０３）。その後、再び、モバイル通信端末１００の制御部１１２は、それに対する検索応答６０２（図６参照）を受信し、モバイル通信端末２００（相手機器）を発見したか否かを判定する（ステップＳ４０４）。
【００７６】
このようにして、モバイル通信端末１００の制御部１１２は、検索要求６０１（図６参照）を、近接無線通信部１１０に送信させ（ステップＳ４０４）、その応答である検索応答６０２が返信されるのを、所定時間経過するまで待つ（ステップＳ４０５、ステップＳ４０４の繰り返し）。
【００７７】
モバイル通信端末２００（相手機器）が通信可能エリアに存在する場合は、検索要求６０１を受信したモバイル通信端末２００の制御部１１２は、特に問題がなければ後述するように、検索応答６０２を返す。モバイル通信端末１００の制御部１１２は、この検索応答６０２を受信することで、相手機器を発見できたものと判定する（ステップＳ４０４；Ｙｅｓ）。
【００７８】
通信可能な相手機器を発見できたら（ステップＳ４０４；Ｙｅｓ）、モバイル通信端末１００の制御部１１２は、相手端末情報の確認を行う（ステップＳ４０６）。検索要求６０１及び検索応答６０２には、ともに、その送信元の端末に関する相手端末情報が含まれている。相手端末情報の確認は、検索応答６０２に含まれる相手端末情報の内容をチェックすることにより行われる。これにより、相手機器が、モバイル通信端末２００であることが確認される。
【００７９】
続いて、モバイル通信端末１００の制御部１１２は、相手端末情報により特定されるモバイル通信端末２００が、記憶部１０６にあらかじめ記憶された登録機器リスト７００に含まれているか否か（すなわち登録済みであるか否か）を判定する（ステップＳ４０７）。含まれていなければ（ステップＳ４０７；Ｎｏ）、モバイル通信端末１００の制御部１１２は、再び、相手機器発見待ちとなり（ステップＳ４０３、及びステップＳ４０４→Ｓ４０５の繰り返し）、含まれていれば、検索応答６０２を返したモバイル通信端末２００を登録済みと判定し（ステップＳ４０７；Ｙｅｓ）、モバイル通信端末１００（自端末）の内部状態を取得する（ステップＳ４０８）。
【００８０】
内部状態は、コマンドテーブル３００の内部状態３０１として登録されているような起動されたアプリケーションの実行状態等を示す情報である。モバイル通信端末１００の制御部１１２は、内部状態を管理しており、内部状態を示す種々の変数を保持している。したがって、ここでは、モバイル通信端末１００の制御部１１２が、内部状態を示すそれらの変数を読み出すことにより、モバイル通信端末１００の現在の内部状態が取得される。
【００８１】
続いて、モバイル通信端末１００の制御部１１２は、記憶部１０６に格納されたコマンドテーブル３００を読み出す（ステップＳ４０９）。続いて、モバイル通信端末１００の制御部１１２は、ステップＳ４０８で取得された内部状態を用いて、ステップＳ４０８で読み出されたコマンドテーブル３００を参照して、送信すべき制御コマンドを決定する（ステップＳ４１０）。例えば、ステップＳ４０８で取得された内部状態が、ｉｎｄｅｘ１の「地デジ視聴中」であった場合、モバイル通信端末１００の制御部１１２は、制御コマンドを、同じｉｎｄｅｘ１の「ＴＶアプリ起動」に決定する。その際、モバイル通信端末１００の制御部１１２は、コマンドテーブル３００の制御コマンドに付属する付属情報として、ｉｎｄｅｘ１のパラメータ３０４のＴＶ種別（地上波デジタルフルセグメント放送、地上波デジタルワンセグメント放送、ＢＳ放送、ＣＳ放送、ＩＰ放送等）、チャンネル（Ｃｈ）番号、番組名等が必要であることも認識し、それらのパラメータも取得する。
【００８２】
送信すべき制御コマンドを決定したら、モバイル通信端末１００の制御部１１２は、近接無線通信部１１１を介して、モバイル通信端末２００に、付属情報としてのパラメータを付加した制御コマンド６０３を送信する（ステップＳ４１１）。
【００８３】
この際、誤動作により、ユーザの望まない制御コマンド送信が行われたか否かを確認することができるように、モバイル通信端末１００の制御部１１２は、「コマンド送信中」の表示や、コマンド種別等を表示部１０３に表示させたり、送信するコマンド名を、音声出力部１０４により音声出力したりするようにしても良い。これにより、ユーザの利便性がさらに向上する。
【００８４】
その後、モバイル通信端末１００の制御部１１２は、モバイル通信端末２００からコマンドを正常に受信できたことを示すコマンド応答（正常応答）６０４（図７参照）を受信したか否かを判定する（ステップＳ４１２）。
【００８５】
正常応答６０４を受信していないと判定した場合（ステップＳ４１２；Ｎｏ）、モバイル通信端末１００の制御部１１２は、タイムアウト又はコマンド応答（異常応答）６０４を受信したか否かを判定する（ステップＳ４１３）。この判定が否定された場合（ステップＳ４１３；Ｎｏ）、モバイル通信端末１００の制御部１１２は、再び、コマンド応答６０４を受信したか否かを判定する（ステップＳ４１２）。また、タイムアウトとなるか、コマンド応答（異常応答）６０４を受信して、判定が肯定された場合（ステップＳ４１３；Ｙｅｓ）、モバイル通信端末１００の制御部１１２は、制御コマンド６０３を再送する（ステップＳ４１１）。このようにすることで、制御コマンド６０３の通信の成功率を高めることができる。なお、ここでは、処理を簡易化するために、モバイル通信端末１００の制御部１１２は、コマンド応答６０４を待たずに、次の動作（ステップＳ４１４）に移るようにしても良い。
【００８６】
正常応答６０４を受信したと判定された場合（ステップＳ４１２；Ｙｅｓ）、モバイル通信端末１００の制御部１１２は、コマンドテーブル３００の自端末動作３０３に従って、所定の動作を実行する（ステップＳ４１４）。自端末動作３０３が規定されていない場合は、モバイル通信端末１００の制御部１１２は、ここでは、特に何もしない。ステップＳ４１４終了後は、ステップＳ４０３に戻る。
【００８７】
なお、本実施形態では、モバイル通信端末１００が、検索要求６０１を送信することで、相手機器（モバイル通信端末２００）を検出したが、モバイル通信端末１００は、モバイル通信端末２００からの検索要求を受信することで、相手機器の検出を行うようにしてもよい。
【００８８】
（受信側の処理詳細）
続いて、制御コマンドの受信側のモバイル通信端末２００の動作について、図５、図６、図７を参照して説明する。
【００８９】
図５に示すモバイル通信端末２００の制御部１１２によって実行されるアプリケーション（動作制御用プログラム）の１つである受信側処理において、モバイル通信端末２００の電源が投入されると（ステップＳ５０１でＹｅｓ）、モバイル通信端末２００の制御部１１２は、装置内各部の初期化を行う。このとき、図５の受信側処理では、モバイル通信端末２００の制御部１１２は、近接無線通信部１１１の初期化処理を行う（ステップＳ５０２）。
【００９０】
初期化処理後、モバイル通信端末２００の制御部１１２は、モバイル通信端末２００の近接無線通信部１１１によって相手機器（モバイル通信端末１００）が検出されるまで待つ（ステップＳ５０４）。モバイル通信端末２００の制御部１１２は、図６に示すように、モバイル通信端末１００の近接無線通信部１１１から検索要求６０１を受信することで、通信エリアに相手機器（モバイル通信端末１００）が存在することを認識する。
【００９１】
通信エリアに相手機器が存在することを認識したら（ステップＳ５０４；Ｙｅｓ）、モバイル通信端末２００の制御部１１２は、相手端末情報の確認を行う（ステップＳ５０５）。相手端末情報の確認は、相手機器が送信した検索要求６０１に含まれる送信者情報の内容をチェックすることにより行われる。これにより、相手機器が、モバイル通信端末１００であることが確認される。
【００９２】
続いて、モバイル通信端末２００の制御部１１２は、相手端末情報により特定されるモバイル通信端末１００が、記憶部１０６に記憶された登録機器リスト７００に含まれているか否かを判定する（ステップＳ５０６）。含まれていれば、モバイル通信端末２００の制御部１１２は、モバイル通信端末１００を登録済みと判定し（ステップＳ５０６；Ｙｅｓ）、検索応答６０２（図６参照）を送信する（ステップＳ５０７）。
【００９３】
一方、相手端末情報により特定されるモバイル通信端末１００が、記憶部１０６にあらかじめ記憶された登録機器リスト７００に含まれていなければ、未登録とみなし（ステップＳ５０６；Ｎｏ）、モバイル通信端末２００の制御部１１２は、再び、相手機器発見待ちとなる（ステップＳ５０４）。なお、登録済みでなかった場合（ステップＳ５０６；Ｎｏ）、モバイル通信端末２００の制御部１１２は、未登録であることを示す情報を含めた検索応答６０２を返信して、ステップＳ５０４に戻るようにしてもよい。
【００９４】
ステップＳ５０７を実行後、モバイル通信端末２００の制御部１１２は、近接無線通信部１１１を介してモバイル通信端末１００から制御コマンド６０３を受信したか否かを判定する（ステップＳ５０８）。
【００９５】
制御コマンド６０３を受信していないと判定した場合（ステップＳ５０８；Ｎｏ）、モバイル通信端末２００の制御部１１２は、タイムアウトであるか否かを判定する（ステップＳ５０９）。この判定が否定された場合（ステップＳ５０９；Ｎｏ）、モバイル通信端末２００の制御部１１２は、再び、制御コマンド６０３を受信したか否かを判定する（ステップＳ５０８）。一方、この判定が肯定された場合（ステップＳ５０９；Ｙｅｓ）、モバイル通信端末２００の制御部１１２は、再び、検索応答６０２（図６参照）を送信する（ステップＳ５０７）。
【００９６】
モバイル通信端末１００から制御コマンド６０３を受信したら（ステップＳ５０８；Ｙｅｓ）、モバイル通信端末２００の制御部１１２は、受信された制御コマンド６０３の内容を確認する（ステップＳ５１１）。受信された制御コマンド６０３の内容を正常に認識できたら、モバイル通信端末２００の制御部１１２は、その旨を示すコマンド応答（正常応答）６０４を、近接無線通信部１１１を介して、モバイル通信端末１００に送信する（ステップＳ５１２）。続いて、モバイル通信端末２００の制御部１１２は、受信された制御コマンド６０３の内容に従って、所定のアプリケーションを起動し、実行することにより、指定された動作を行う（ステップＳ５１３）。ステップＳ５１３の終了後は、ステップＳ５０４に戻る。
【００９７】
なお、この際、誤動作により、ユーザの望まない処理が行われたか否かを確認することができるように、「アプリケーション自動起動」の表示や、どの端末から起動要求があったかなどを画面に表示したり、起動するアプリケーション名を音声出力したりするようにしても良い。これにより、ユーザの利便性がさらに向上する。
【００９８】
（具体例）
次に、本実施形態に係るモバイル通信システムのさらなる具体例について説明する。
【００９９】
（放送視聴中の場合）
まず、モバイル通信端末１００において、地デジ番組を視聴中であった場合について説明する。この場合、モバイル通信端末１００において、ある地デジ番組を視聴中に、モバイル通信端末２００をモバイル通信端末１００の近接無線通信部１１１の通信圏内に近づけると、モバイル通信端末１００の制御部１１２は、図３のコマンドテーブル３００におけるＩｎｄｅｘ１の内部状態３０１の「地デジ視聴中」を、モバイル通信端末１００における内部状態として取得する（図４、図７のステップＳ４０８）。
【０１００】
続いて、図８に示すように、モバイル通信端末１００からモバイル通信端末２００へ、制御コマンド６０３として、「ＴＶアプリ起動」コマンドが送信され、付属情報としてモバイル通信端末１００で視聴中のＴＶチャンネル番号や番組名が送信される（図４のステップＳ４１１）。それを受信したモバイル通信端末２００の制御部１１２は、受信された制御コマンド６０３に従って、ＴＶ受信再生の動作を行うアプリケーションを起動し、地デジ処理部１０７を制御して、指定されたチャンネルの受信、再生処理（指定動作）を開始する（図５、図７のステップＳ５１３）。
【０１０１】
このように、モバイル通信端末１００、２００を近づけるという簡単な操作を行うだけで、モバイル通信端末２００において、モバイル通信端末１００と同じ地上波デジタル放送の番組を見ることができるようになる。この結果、モバイル通信端末１００のユーザの利便性が著しく向上する。
【０１０２】
（Ｗｅｂ閲覧中の場合）
次に、モバイル通信端末１００において、インターネット等のネットワーク４００（図９参照）上のサイトをブラウザで閲覧中であった場合について説明する。この場合、モバイル通信端末２００をモバイル通信端末１００の近接無線通信部１１１の通信圏内に近づけると、モバイル通信端末１００の制御部１１２は、図３のコマンドテーブル３００におけるＩｎｄｅｘ２の内部状態３０１の「Ｗｅｂ閲覧中」を、モバイル通信端末１００における内部状態として取得する（図４、図７のステップＳ４０８）。
【０１０３】
続いて、例えば、図９に示すように、モバイル通信端末１００からモバイル通信端末２００へ、制御コマンド６０３として、「ブラウザ起動」コマンドが送信され、付属情報としてモバイル通信端末１００で閲覧中のサイトのＵＲＬが送信される（図４、図７のステップＳ４１１）。それを受信したモバイル通信端末２００の制御部１１２は、受信された制御コマンド６０３に従って、ブラウザを起動し、携帯電話通信部１０１を制御して、指定されたＵＲＬにアクセスし、表示部１０３を制御して、サイトを表示する（図５、図７のステップＳ５１３）。
【０１０４】
このように、端末同士を近づけるという簡単な操作を行うだけで、モバイル通信端末２００でモバイル通信端末１００と同じサイトを閲覧することが可能となる。この結果、ユーザの利便性が著しく向上する。
【０１０５】
（写真撮影後、動画撮影後の場合）
次に、モバイル通信端末１００において、カメラ機能を用いた写真（静止画）や動画の撮影後であった場合について説明する。これらの場合、写真や動画を撮影した後の所定時間内（例えば、３分以内）に、モバイル通信端末２００をモバイル通信端末１００の近接無線通信部１１１の通信圏内に近づけると、モバイル通信端末１００の制御部１１２は、図３のコマンドテーブル３００におけるＩｎｄｅｘ３又はｉｎｄｅｘ４の内部状態３０１の「写真撮影後」又は「動画撮影後」を、モバイル通信端末１００における内部状態として取得する（図４、図７のステップＳ４０８）。
【０１０６】
続いて、例えば図１０、図１１に示すように、モバイル通信端末１００からモバイル通信端末２００へ、制御コマンド６０３として、「写真ビューワ起動」又は「動画プレイヤ起動」コマンドが送信され、付属情報としてモバイル通信端末１００によって直前に撮影された写真や動画のサイズ、データ本体（写真データ、動画データ）、属性情報等が送信される（図４、図７のステップＳ４１１）。それを受信したモバイル通信端末２００の制御部１１２は、受信された制御コマンド６０３に従って、写真ビューワ又は動画プレイヤを起動し、近接無線通信部１１１を介して受信した写真データを表示部１０３に表示させたり、動画データを再生したりする（ステップＳ５１３）。
【０１０７】
このように、端末同士を近づけるという簡単な操作を行うだけで、モバイル通信端末２００で、モバイル通信端末１００によって撮影された写真や動画を見ることが可能となる。この結果、ユーザの利便性が著しく向上する。
【０１０８】
なお、写真や動画を撮影後所定時間内であっても、モバイル通信端末１００のカメラ機能のアプリケーションを終了し、待ち受け状態に戻った場合には、制御コマンド６０３の送信を行わないようにすることも可能である。
【０１０９】
（写真表示中、動画再生中の場合）
次に、モバイル通信端末１００において、写真表示中又は動画再生中であった場合について説明する。これらの場合、モバイル通信端末２００をモバイル通信端末１００の近接無線通信部１１１の通信圏内に近づけると、モバイル通信端末１００の制御部１１２は、図３のコマンドテーブル３００におけるＩｎｄｅｘ５又はｉｎｄｅｘ６の内部状態３０１の「写真表示中」又は「動画再生中」を、モバイル通信端末１００における内部状態として取得する（図４、図７のステップＳ４０８）。
【０１１０】
続いて、例えば図１０、図１１に示すように、モバイル通信端末１００からモバイル通信端末２００へ、制御コマンド６０３として、「写真ビューワ起動」又は「動画プレイヤ起動」コマンドが送信され、付属情報としてモバイル通信端末１００によって直前に撮影された写真や動画のサイズ、データ本体（写真データ、動画データ）、属性情報等が送信される（図４、図７のステップＳ４１１）。それを受信したモバイル通信端末２００の制御部１１２は、受信された制御コマンド６０３に従って、写真ビューワ又は動画プレイヤを起動し、近接無線通信部１１１を介して受信した写真データを表示部１０３に表示させたり、動画データを再生したりする（図５、図７のステップＳ５１３）。
【０１１１】
このように、端末同士を近づけるという簡単な操作を行うだけで、モバイル通信端末２００で、モバイル通信端末１００で表示中の写真や再生中の動画と同じものを見ることが可能となる。この結果、ユーザの利便性が著しく向上する。
【０１１２】
（音楽再生中（ダウンロード（ＤＬ））、ゲーム中（ダウンロード（ＤＬ））の場合）
次に、モバイル通信端末１００において、インターネット等のネットワーク４００（図１２参照）上の特定のサイトからダウンロードした音楽を再生中であった場合と、特定のサイトからダウンロードしたゲームを実行中であった場合について説明する。これらの場合、モバイル通信端末２００をモバイル通信端末１００の近接無線通信部１１１の通信圏内に近づけると、モバイル通信端末１００の制御部１１２は、その楽曲データ又はゲームデータを参照し、それらのデータが著作権管理されているものであり、ダウンロード元のサイトを運営する業者に、料金を支払うべきものである場合、図３のコマンドテーブル３００におけるＩｎｄｅｘ７又はｉｎｄｅｘ９の内部状態３０１の「音楽再生中（ＤＬ）」又は「ゲーム中（ＤＬ）」を、モバイル通信端末１００における内部状態として取得する（図４、図７のステップＳ４０８）。
【０１１３】
続いて、例えば、図１２に示すように、モバイル通信端末１００からモバイル通信端末２００へ、制御コマンド６０３として、「ブラウザ起動」コマンドが送信され、付属情報としてモバイル通信端末１００で閲覧中のサイトのＵＲＬが送信される（図４、図７のステップＳ４１１）。それを受信したモバイル通信端末２００の制御部１１２は、受信された制御コマンド６０３に従って、ブラウザを起動し、携帯電話通信部１０１を制御して、指定されたＵＲＬにアクセスし、表示部１０３を制御して、サイトを表示する（図５、図７のステップＳ５１３）。
【０１１４】
このように、端末同士を近づけるという簡単な操作を行うだけで、モバイル通信端末２００で、モバイル通信端末１００で再生中の音楽データやプレイ中のゲームデータのダウンロードサイトを表示することができるので、データ購入までの手間が省くことができる。この結果、ユーザの利便性が著しく向上する。
【０１１５】
（音楽再生中（フリー）、ゲーム中（フリー）の場合）
次に、モバイル通信端末１００において、著作権法の下で、許可なしで自由に利用することができる音楽を再生中であった場合と、自由に利用することができるゲームを実行中であった場合について説明する。これらの場合、モバイル通信端末２００をモバイル通信端末１００の近接無線通信部１１１の通信圏内に近づけると、モバイル通信端末１００の制御部１１２は、図３のコマンドテーブル３００におけるＩｎｄｅｘ８又はｉｎｄｅｘ１０の内部状態３０１の「音楽再生中（フリー）」又は「動画再生中（フリー）」を、モバイル通信端末１００における内部状態として取得する（図４、図７のステップＳ４０８）。
【０１１６】
続いて、例えば図１３に示すように、モバイル通信端末１００からモバイル通信端末２００に対して制御コマンド６０３として、「音楽プレイヤ起動」又は「ゲーム起動」コマンドが送信され、付属情報としてモバイル通信端末１００で再生中の音楽データやプレイ中のゲームデータ等が送信される（図４、図７のステップＳ４１１）。それを受信したモバイル通信端末２００の制御部１１２は、受信された制御コマンド６０３に従って、音楽プレイヤやゲームを起動し、近接無線通信部１１１を介して受信した音楽データを再生したり、ゲームデータを実行したりする（図５、図７のステップＳ５１３）。
【０１１７】
すなわち、端末同士を近づけるという簡単な操作を行うだけで、モバイル通信端末１００において再生中の音楽データやプレイ中のゲームデータをモバイル通信端末２００で、入手し、その音楽やゲームを楽しむことができる。この結果、ユーザの利便性が著しく向上する。このように、音楽データやゲームデータの著作権管理方式によっては（例えばフリーソフトである場合には）、端末同士だけで直接データ交換可能な場合もある。
【０１１８】
（基本設定中の場合）
次に、モバイル通信端末１００において、基本的な内部パラメータを設定中である場合について説明する。この場合、モバイル通信端末１００において端末の基本設定中に、モバイル通信端末２００をモバイル通信端末１００の近接無線通信部１１１の通信圏内に近づけると、モバイル通信端末１００の制御部１１２は、図３のコマンドテーブル３００におけるＩｎｄｅｘ１１の内部状態３０１の「基本設定中」を、モバイル通信端末１００における内部状態として取得する（図４、図７のステップＳ４０８）。
【０１１９】
続いて、例えば図１４に示すように、モバイル通信端末１００からモバイル通信端末２００へ、制御コマンド６０３として、「基本設定処理起動」コマンドが送信され、付属情報としてモバイル通信端末１００の設定情報、設定個数、設定項目、設定値が送信される（図４、図７のステップＳ４１１）。それを受信したモバイル通信端末２００の制御部１１２は、受信された制御コマンド６０３に従って、基本設定処理のアプリケーションを起動し、近接無線通信部１１１を介して受信した設定情報を設定する（図５、図７のステップＳ５１３）。
【０１２０】
このように、端末同士を近づけるという簡単な操作を行うだけで、モバイル通信端末２００の端末基本設定をモバイル通信端末１００のそれと同じにすることが可能となる。この結果、ユーザの利便性が著しく向上する。
【０１２１】
（通話中の場合：その１）
次に、図１５に示すように、モバイル通信端末１００において、通信相手（第三者）４０１と、電話網４０２を介して通話中（図１５の（Ａ））であった場合について説明する。この場合、モバイル通信端末２００をモバイル通信端末１００の近接無線通信部１１１の通信圏内に近づけると、モバイル通信端末１００の制御部１１２は、図３のコマンドテーブル３００におけるＩｎｄｅｘ１２の内部状態３０１の「通話中」を、モバイル通信端末１００における内部状態として取得する（図４、図７のステップＳ４０８）。
【０１２２】
続いて、モバイル通信端末１００からモバイル通信端末２００へ、制御コマンド６０３として、「発信」コマンドが送信され（図１５の（Ｂ））、付属情報として文字数、第三者の電話番号が送信される（図４のステップＳ４１１）。それを受信したモバイル通信端末２００の制御部１１２は、受信された制御コマンド６０３に従って、音声通話動作のアプリケーションを起動し、携帯電話通信部１０１を制御して、指定の電話番号を用いて電話網４０２を介して発呼する（図１５の（Ｃ）、図５、図７のステップＳ５１３）。これにより、モバイル通信端末１００と第三者との通話は一旦保留され、モバイル通信端末２００と第三者が通話状態となる。その後、第三者側が認証すれば、モバイル通信端末１００とモバイル通信端末２００と第三者の電話との三者通話動作（図１５の（Ｄ））が可能となる。
【０１２３】
このように、端末同士を近づけるという簡単な操作を行うだけで、モバイル通信端末１００と第三者との二者通話状態から、モバイル通信端末２００を含んだ三者通話状態へ移行することが可能となる。この結果、ユーザの利便性が著しく向上する。
【０１２４】
（着信中の場合）
次に、図１６に示すように、モバイル通信端末１００において、通信相手（第三者）４０１からの着信中（図１６の（Ａ））であった場合について説明する。この場合、モバイル通信端末２００をモバイル通信端末１００の近接無線通信部１１１の通信圏内に近づけると、モバイル通信端末１００の制御部１１２は、図３のコマンドテーブル３００におけるＩｎｄｅｘ１３の内部状態３０１の「着信中」を、モバイル通信端末１００における内部状態として取得する（図４、図７のステップＳ４０８）。
【０１２５】
続いて、モバイル通信端末１００からモバイル通信端末２００へ、制御コマンド６０３として、「電話番号取得」コマンドが送信される（図１６の（Ｂ）、図４、図７のステップＳ４１１）。それを受信したモバイル通信端末２００の制御部１１２は、受信された制御コマンド６０３に対するコマンド応答６０４に、文字数と、自端末の電話番号を付加して、モバイル通信端末１００に返信する（図１６の（Ｃ）、図５、図７のステップＳ５１２）。
【０１２６】
コマンド応答６０４を受信したモバイル通信端末１００は、モバイル通信端末２００の電話番号に対して、着信中の呼を転送する処理を行う（図１６の（Ｄ）、図４，図７のステップＳ４１４）。これにより、モバイル通信端末１００への着信呼は、モバイル通信端末２００へ転送される。モバイル通信端末１００では、転送された着信呼に対応した処理が行われ（図５、図７のステップＳ５１３）、モバイル通信端末１００とモバイル通信端末２００と第三者の電話との三者通話動作（図１６の（Ｅ））が実現される。
【０１２７】
このように、端末同士を近づけるという簡単な操作を行うだけで、モバイル通信端末１００への着信呼をモバイル通信端末２００へ転送することが可能となる。これにより、ユーザの利便性が著しく向上する。
【０１２８】
（メール読み中の場合）
次に、図１７に示すように、モバイル通信端末１００において、電子メールをオープンし、その電子メールの読み中であった場合について説明する。この場合、モバイル通信端末２００をモバイル通信端末１００の近接無線通信部１１１の通信圏内に近づけると、モバイル通信端末１００の制御部１１２は、図３のコマンドテーブル３００におけるＩｎｄｅｘ１４の内部状態３０１の「メール読み中」を、モバイル通信端末１００における内部状態として取得する（図４、図７のステップＳ４０８）。
【０１２９】
そして、図１７に示すように、モバイル通信端末１００からモバイル通信端末２００へ、制御コマンド６０３として、「メールアドレス取得」コマンドが送信される（図１７の（Ａ）、図４、図７のステップＳ４１１）。それを受信したモバイル通信端末２００の制御部１１２は、受信された制御コマンド６０３に対するコマンド応答６０４として、文字数と、自端末のメールアドレスを付加して、モバイル通信端末１００に返信する（図１７の（Ｂ）、図５、図７のステップＳ５１２）。
【０１３０】
コマンド応答６０４を受信したモバイル通信端末１００の制御部１１２は、モバイル通信端末２００のメールアドレスに対して、ネットワーク４００を介して現在読んでいる電子メールを転送する（図１７の（Ｃ）、図４、図７のステップＳ４１４）。モバイル通信端末２００では、この電子メールが受信され（図５、図７のステップＳ５１３）、その電子メールを読むことができる状態となる。
【０１３１】
このように、端末同士を近づけるという簡単な操作を行うだけで、モバイル通信端末１００で読んでいる電子メールをモバイル通信端末２００へ転送することが可能となる。これにより、ユーザの利便性が著しく向上する。
【０１３２】
（通話中の場合：その２）
なお、図３のコマンドテーブル３００におけるＩｎｄｅｘ１２に対応する三者通話への移行については、以下の方法で行うこともできる。
【０１３３】
図１８に示すように、モバイル通信端末１００で、通信相手（第三者）４０１と電話網４０２を介して通話中（Ａ）に、モバイル通信端末２００をモバイル通信端末１００の近接無線通信圏内に近づけると、前述のように、モバイル通信端末１００から制御コマンド６０３として、「電話番号取得」コマンドが送信される（図１８の（Ｂ）、図４、図７のステップＳ４１１）。この場合、それを受信したモバイル通信端末２００は、受信された制御コマンド６０３に従って、近接無線通信部１１１を介して自端末の電話番号をモバイル通信端末１００に送信する（図１８の（Ｃ）、図５、図７のステップＳ５１２）。
【０１３４】
コマンド応答６０４を受信したモバイル通信端末１００は、携帯電話通信部１０１を制御して、モバイル通信端末２００の電話番号を用いて電話網４０２を介して発呼を行う（図１８の（Ｄ）、図４、図７のステップＳ４１４）。これにより、モバイル通信端末１００と第三者との通話は一旦保留され、モバイル通信端末１００とモバイル通信端末２００が通話状態となる。その後、モバイル通信端末１００が認証すれば、モバイル通信端末１００とモバイル通信端末２００と第三者との三者通話動作（図１８の（Ｅ））となる。
【０１３５】
このように、端末同士を近づけるという簡単な操作を行うだけで、モバイル通信端末１００と第三者との通話状態から、モバイル通信端末２００を含んだ三者通話状態へ移行することが可能となる。この結果、ユーザの利便性が著しく向上する。
【０１３６】
このように、具体例として、テレビ視聴中、Ｗｅｂ閲覧中、写真や動画の撮影後、写真表示中、動画再生中、音楽再生中、ゲーム中、基本設定中、通話中、着信中、メール読み中におけるモバイル通信端末１００、２００の協調動作について説明した。この他、端末１００において、録画、撮影ボタンを押すと、同時に、モバイル通信端末２００でも、録画、撮影を行ったりするようにすることもできる。
【０１３７】
これまでの説明から明らかなように、本実施形態では、地デジ処理部１０７と、音声デコード部１０９と、映像デコード部１１０と、音声出力部１０４と、表示部１０３と、制御部１１２とによって、放送受信再生手段が実現される。また、携帯電話通信部１０１と、音声出力部１０４と、音声入力部１０５と、制御部１１２とによって、電話通信手段が実現される。また、携帯電話通信部１０１と、表示部１０３と、制御部１１２とによって、ブラウザ実行手段が実現される。また、音声デコード部１０９と、音声出力部１０４と、制御部１１２とによって音楽再生手段が実現される。また、音声デコード部１０９と、映像デコード部１１０と、表示部１０３と、音声出力部１０４と、制御部１１２とによってゲーム実行手段が実現される。
【０１３８】
さらに、モバイル通信端末１００の制御部１１２によって、制御コマンド生成手段、動作制御手段、端末検索手段が実現される。
【０１３９】
以上詳細に説明したように、本実施形態に係るモバイル通信端末１００によれば、端末同士を近づけるといった、ごく簡単な操作を行うだけで、モバイル通信端末２００を制御するための制御コマンド６０３を送信することができるので、モバイル通信端末１００により、モバイル通信端末２００の動作を制御することができる。これにより、ユーザの利便性が著しく向上する。
【０１４０】
より具体的には、本実施形態によれば、端末同士を近づけるといったごく簡単な操作を行うだけで、モバイル通信端末１００で動作しているアプリケーションと、同じか、あるいは関連するアプリケーションを、モバイル通信端末２００で起動し動作させることができる。このため、ユーザが、キー操作を行って、送信データを選択したり、アプリケーションを起動したりすることなく、両端末１００、２００を、協調動作させることができる。これにより、ユーザの利便性が著しく向上する。
【０１４１】
モバイル通信端末１００、２００の協調動作で必要なデータは、それぞれ、制御コマンドに付属する付属情報や、制御コマンドの応答として、近接無線通信部１１１を介して送受信されるので、協調動作を支障なく実行することができる。それらのデータは、モバイル通信端末１００、２００のアプリケーションで用いられるデータや、データの送信元である。
【０１４２】
本実施形態によれば、モバイル通信端末１００の内部状態に応じて、モバイル通信端末２００のアプリケーションを起動し、特定の機能を実行した。しかしながら、本発明は、モバイル通信端末１００の内部状態が、いかなる状態の場合に、モバイル通信端末２００のどのアプリケーションを起動し、いかなる機能を実行するかによって、限定されるものではない。モバイル通信端末１００の内部状態は、携帯電話等のモバイル通信端末が一般的に有するアプリケーションの起動状態や、その実行状態に関連するものであれば良い。また、起動対象となるモバイル通信端末２００のアプリケーションも、携帯電話等のモバイル通信端末が一般的に有するアプリケーションであれば良い。
【０１４３】
さらに、モバイル通信端末１００から、モバイル通信端末２００へ、実行中の動作をキャンセルするための制御コマンドを送信するようにしても良い。
【０１４４】
例えば、上述のようにして、モバイル通信端末２００をモバイル通信端末１００に協調させるような操作を行い、それらを遠ざけて近接無線通信部１１１による近接無線通信を遮断した後、所定時間以内（例えば５分以内）に、モバイル通信端末１００を待受（アイドリング）状態にして、モバイル通信端末２００に再び近づけると、直前の動作をキャンセルするような制御コマンド６０３をモバイル通信端末１００からモバイル通信端末２００に送信するようにしても良い。これは、例えば、図３のコマンドテーブル３００に、内部状態３０１が「待受状態」、コマンド種別が「キャンセル」というｉｎｄｅｘを追加することにより、実行可能である。このようにすれば、例えば、誤って協調動作させてしまった場合に、その動作をキャンセルすることができる。この結果、ユーザの利便性がさらに向上する。
【０１４５】
また、上述のようにして、モバイル通信端末２００をモバイル通信端末１００に協調させるような操作を行い、それらを遠ざけて近接無線通信部１１１による近接無線通信を遮断した後、所定時間以内（例えば５分以内）に、モバイル通信端末１００を、同じ内部状態のままで、モバイル通信端末２００に再び近づけると、モバイル通信端末１００から直前の動作をキャンセルするような制御コマンドをモバイル通信端末１００からモバイル通信端末２００に送信するようにしても良い。このようにしても、誤って協調動作させてしまった場合に、その動作をキャンセルすることができる。この結果、ユーザの利便性がさらに向上する。
【０１４６】
また、上記実施形態では、送信側（モバイル通信端末１００）と受信側（モバイル通信端末２００）とを明確に規定し、モバイル通信端末１００から、モバイル通信端末２００のアプリケーションを起動し、実行させるものとしたが、２つのモバイル通信端末が、互いに、上述の送信側の機能と受信側の機能を有することも可能である。この場合、双方向で相手方のアプリケーションを起動させることができるようになるので、ユーザの利便性がさらに向上する。
【０１４７】
さらに、モバイル通信端末２００が、待受状態以外の状態の時には、モバイル通信端末１００から制御コマンドを受信しても、指定されたアプリケーションを起動しないようにするようにしても良い。このようにすれば、受信側のモバイル通信端末２００において、ユーザが希望しないアプリケーションが誤って起動するのを防ぐことができる。これにより、ユーザの利便性がさらに向上する。
【０１４８】
また、上記実施形態では、登録機器リスト７００に登録されている端末との間で、協調動作が行われるようにしたが、このような登録機器リスト７００として、携帯電話等のメモリに登録されたアドレス帳を用いるようにしてもよいのは勿論である。このようにすれば、登録機器リスト７００に相手端末を登録する手間を省くことができるので、ユーザの利便性がさらに向上する。
【０１４９】
また、モバイル通信端末では、同時に複数のアプリケーションが起動され、実行される場合もある。このような場合には、それぞれのアプリケーションの動作状態に対応する制御コマンドを、他のモバイル通信端末に送信するようにして、それぞれのアプリケーションに対応する協調動作を、他のモバイル通信端末に行わせるようにしてもよいし、いずれかのアプリケーションの動作に対応する制御コマンドだけを、他のモバイル通信端末に送信するようにしてもよい。また、複数のアプリケーションに、優先順位を設けて、優先順位の高いアプリケーションに対応する制御コマンドを、他のモバイル通信端末に送信することも可能である。
【符号の説明】
【０１５０】
１０…モバイル通信システム、１００、２００…モバイル通信端末、１０１…携帯電話通信部、１０２…操作部、１０３…表示部、１０４…音声出力部、１０５…音声入力部、１０６…記憶部、１０７…地上波デジタル放送（地デジ）処理部、１０８…カメラ処理部、１０９…音声デコード部、１１０…映像デコード部、１１１…近接無線通信部、１１２…制御部、１１３…バス、３００…コマンドテーブル、３０１…内部状態、３０２…コマンド種別、３０３…自端末動作、３０４…パラメータ、４００…ネットワーク、４０１…通信相手（第三者）、４０２…電話網、７００…登録機器リスト
【図１】
2010219824.tif 000003
【図２】
2010219824.tif 000004
【図３】
2010219824.tif 000005
【図４】
2010219824.tif 000006
【図５】
2010219824.tif 000007
【図６】
2010219824.tif 000008
【図７】
2010219824.tif 000009
【図８】
2010219824.tif 000010
【図９】
2010219824.tif 000011
【図１０】
2010219824.tif 000012
【図１１】
2010219824.tif 000013
【図１２】
2010219824.tif 000014
【図１３】
2010219824.tif 000015
【図１４】
2010219824.tif 000016
【図１５】
2010219824.tif 000017
【図１６】
2010219824.tif 000018
【図１７】
2010219824.tif 000019
【図１８】
2010219824.tif 000020